【事件の表示】
　特願２０１２−２５２６３４「金属化フィルムコンデンサ」拒絶査定不服審判事件〔平成２６年　６月　５日出願公開、特開２０１４−１０３１７４〕について、次のとおり審決する。
【結　論】
　本件審判の請求は、成り立たない。
【理　由】
第１　手続の経緯
　本願は、平成２４年１１月１６日に出願したものであって、手続の概要は以下のとおりである。
　拒絶理由通知　　　　　　　：平成２８年　８月３１日（起案日）
　意見書　　　　　　　　　　：平成２８年１０月　６日
　手続補正　　　　　　　　　：平成２８年１０月　６日
　拒絶査定　　　　　　　　　：平成２９年　１月３１日（起案日）
　拒絶査定不服審判請求　　　：平成２９年　３月２３日
　手続補正　　　　　　　　　：平成２９年　３月２３日
第２　平成２９年３月２３日付けの手続補正についての補正却下の決定
［補正却下の決定の結論］
　平成２９年３月２３日付けの手続補正を却下する。
［理由］
１．本件補正
　平成２９年３月２３日付けの手続補正（以下「本件補正」という。）は、特許請求の範囲及び明細書についてするもので、請求項１については、本件補正前に、
「　【請求項１】
　一側辺に沿ってマージン部が形成されるように、誘電体フィルムの表面に金属膜を蒸着すると共に、絶縁スリットを設けて上記金属膜に複数の分割電極を形成して成る複数の金属化フィルムを、上記複数の金属化フィルム同士のマージン部が反対側に配されるように積層し、又は積層巻回してコンデンサ素子を形成すると共に、該コンデンサ素子の両端面に、上記分割電極と接続されるメタリコン電極を形成し、さらに、誘電体フィルムを介して対向する一対の分割電極で単位コンデンサを構成して成る金属化フィルムコンデンサであって、
　上記単位コンデンサとして機能する領域を形成する位置の金属膜端面に、外側に向かって厚さが徐々に減少する傾斜金属膜を形成して成り、該傾斜金属膜の幅を０．０２５mm〜０．１８mmの範囲に設定したことを特徴とする金属化フィルムコンデンサ。」
とあったところを、
本件補正後、
「　【請求項１】
　一側辺に沿ってマージン部が形成されるように、誘電体フィルムの表面に金属膜を蒸着すると共に、絶縁スリットを設けて上記金属膜に複数の分割電極を形成して成る複数の金属化フィルムを、上記複数の金属化フィルム同士のマージン部が反対側に配されるように積層し、又は積層巻回してコンデンサ素子を形成すると共に、該コンデンサ素子の両端面に、上記分割電極と接続されるメタリコン電極を形成し、さらに、誘電体フィルムを介して対向する一対の分割電極で単位コンデンサを構成して成る金属化フィルムコンデンサであって、
　上記単位コンデンサとして機能する領域を
含む誘電体フィルムと接する金属膜の全ての端面に、
とするものである。
　上記本件補正の内容は、請求項１について、発明特定事項である「傾斜金属膜を形成」する「金属膜」の「端面」について、「上記単位コンデンサとして機能する領域を形成する位置の金属膜端面」だけでなく、「誘電体フィルムと接する金属膜の全ての端面」とし、より多くの位置に「傾斜金属膜を形成」する旨を限定したものである。
　本件補正は、発明特定事項を限定するものであるから、特許法第１７条の２第５項第２号に掲げる特許請求の範囲の減縮を目的とするものに該当する。
　そこで、本件補正後の請求項１係る発明（以下「本件補正発明」という。）が特許出願の際独立して特許を受けることができるものであるか（特許法第１７条の２第６項において準用する同法第１２６条第７項に規定する要件を満たすか）否かについて、以下検討する。
２．引用例
　原査定の拒絶の理由に引用された特開２００１−７６９６０号公報（平成１３年３月２３日公開、以下「引用例１」という。）には、図面と共に、以下の記載がある。（なお、下線は当審で付与した。）
（１）「【請求項１】  アイソタクチックペンダット分率が９８％以上で、かつ少なくとも片面の平均表面粗さＲａが０.０３μｍ〜０.３μｍで、かつ厚みが５μｍ〜８μｍの
２軸延伸ポリプロピレンフイルムの少なくとも片面に、金属蒸着部からマージン部にかけ金属蒸着膜厚が連続的に低減する金属蒸着層を有する金属化フイルム
（２）「【請求項５】  請求項１〜４のいずれかに記載の
金属化フイルムを巻回または積層し使用してなるコンデンサ
（３）「【０００１】
【発明の属する技術分野】本発明は、
金属蒸着した金属化フイルム
、およびその金属化フイルムを用いてなるコンデンサ
（４）「【００１６】次に、本発明の金属蒸着した金属化フイルムの一実施態様を図１の概略断面図に示す。なお、本発明の金属化フイルムは本実施態様に限定されるものではない。図１において、本発明の
金属蒸着した金属化フイルム１は、２軸延伸ポリプロピレンフイルム２をベースに、その上に金属蒸着を施した金属蒸着部４および非常金属蒸着部分であるマージン部３とともに、金属蒸着部４とマージン部３の境界部に位置する、金属蒸着膜厚が連続的に低減する金属蒸着層５を設けたものである。
（５）「【００２０】また、
金属蒸着膜厚が連続的に減少する金属蒸着層５（境界部または傾斜部）の幅Ｌは、０．０５〜１ｍｍであることが好ましい。
境界部５のより好ましい幅Ｌは０．０６〜０．５ｍｍであり、さらに好ましくは０．１〜０．１５ｍｍである。
（６）「【００２１】本発明では、
この境界部５を設けることによって、
特にマージン部と蒸着金属部の境界における絶縁破壊を防止することができる。
（７）「【００２９】（３）ＤＣ耐圧検査
容量１μＦになるように
蒸着品を巻回し、
コンデサ素子を作成する
　上記摘示事項及び図面の記載から以下のことがいえる。
（ａ）引用例１には、「金属蒸着した金属化フイルム、およびその金属化フイルムを用いてなるコンデンサ」が記載されている（摘示事項（３））。
（ｂ）「金属化フイルム」は、２軸延伸ポリプロピレンフイルムの少なくとも片面に、金属蒸着部からマージン部にかけ金属蒸着膜厚が連続的に低減する金属蒸着層を有する（摘示事項（１）、（４）、図１）。
（ｃ）「コンデンサ」は、金属化フイルムを巻回または積層し使用してなる（摘示事項（２）、（７））。
（ｄ）金属蒸着膜厚が連続的に減少する金属蒸着層５（境界部または傾斜部）の幅Ｌは、０．０５〜１ｍｍであることが好ましい。境界部５のより好ましい幅Ｌは０．０６〜０．５ｍｍであり、さらに好ましくは０．１〜０．１５ｍｍである（摘示事項（５））。
　以上を総合勘案すると、引用例１には、次の発明（以下「引用発明」という。）が記載されているものと認める。
「金属化フイルムを用いてなるコンデンサであって、
　金属化フイルムは、２軸延伸ポリプロピレンフイルムの少なくとも片面に、金属蒸着部からマージン部にかけ金属蒸着膜厚が連続的に低減する金属蒸着層を有し、
　コンデンサは、金属化フイルムを巻回または積層し使用してなり、
　金属蒸着膜厚が連続的に低減する金属蒸着層５（境界部または傾斜部）の幅Ｌは、０．１〜０．１５ｍｍである金属化フイルムを用いてなるコンデンサ。」
　同じく、原査定の拒絶の理由に引用された特開２０１２−２２２１２７号公報（平成２４年１１月１２日公開、以下「引用例２」という。）には、図面と共に、以下の記載がある。（なお、下線は当審で付与した。）
（８）「【請求項１】
　
一側辺に沿ってマージン部が形成されるように、誘電体フィルムの表面に金属膜を蒸着して成る複数の金属化フィルムを、上記複数の金属化フィルム同士のマージン部が反対側に配されるように積層し、又は積層巻回してコンデンサ素子を形成すると共に、該コンデンサ素子の両端面にメタリコン電極を形成して成る金属化フィルムコンデンサであって、
　上記金属膜をアルミニウムで構成すると共に、
　
上記マージン部と接する金属膜の端面に、外側に向かって厚さが徐々に減少する傾斜金属膜を形成した
金属化フィルムコンデンサ。
（９）「【請求項３】
　
一側辺に沿ってマージン部が形成されるように、誘電体フィルムの表面に金属膜を蒸着すると共に、絶縁スリットを設けて上記金属膜に複数の分割電極を形成して成る複数の金属化フィルムを、上記複数の金属化フィルム同士のマージン部が反対側に配されるように積層し、又は積層巻回してコンデンサ素子を形成すると共に、該コンデンサ素子の両端面に、上記分割電極と接続されるメタリコン電極を形成し、さらに、誘電体フィルムを介して対向する一対の分割電極で単位コンデンサを構成して成る金属化フィルムコンデンサであって、
  上記金属膜をアルミニウムで構成すると共に、
  
上記単位コンデンサとして機能する領域を形成する位置の金属膜端面に、外側に向かって厚さが徐々に減少する傾斜金属膜を形成した
金属化フィルムコンデンサ。
（１０）「【０００１】
　この発明は
誘電体フィルムの表面に金属膜を蒸着して成る複数の金属化フィルムを積層又は積層巻回してコンデンサ素子を形成すると共に、該コンデンサ素子の両端面にメタリコン電極を形成して成る金属化フィルムコンデンサ
（１１）「【００１５】
  本発明の請求項１に記載の金属化フィルムコンデンサは、マージン部と接する
金属膜の端面に、外側に向かって厚さが徐々に減少する傾斜金属膜を形成したので、異常電圧の印可時に金属膜の端面での電界集中が緩和され、電界集中で生成される放電による誘電体フィルムの部分的絶縁破壊の発生頻度が減少する
きる。
  また、金属膜をアルミニウムで構成したので、金属化フィルムコンデンサに高調波が印可された際の「鳴き」の発生を抑制することができる。すなわち、アルミニウムを誘電体フィルムに蒸着させる金属膜の構成材料として用いた場合、アルミニウムは凝着力が大きく、金属化フィルム間の密着性が高くなることから、「鳴き」の発生を抑制することができるのである。
【００１６】
  また、請求項３又は４に記載の金属化フィルムコンデンサは、単位コンデンサとして機能する領域を形成する位置の
金属膜の端面に、外側に向かって厚さが徐々に減少する傾斜金属膜を形成したことにより、異常電圧の印可時に金属膜の端面での電界集中が緩和される
  また、金属膜をアルミニウムで構成したので、金属化フィルムコンデンサに高調波が印可された際の「鳴き」の発生を抑制することができる。すなわち、アルミニウムを誘電体フィルムに蒸着させる金属膜の構成材料として用いた場合、アルミニウムは凝着力が大きく、金属化フィルム間の密着性が高くなることから、「鳴き」の発生を抑制することができるのである」
（１２）「【００１９】
　図１〜図３は、本発明に係る第１の金属化フィルムコンデンサを構成する金属化フィルム010を示すものであり、図１は平面図、図２は図１のＣ−Ｃ拡大断面図、図３は図１の中央横断面図である。
　
上記金属化フィルム010は、
誘電体フィルム012の表面に、一側辺に沿ってマージン部014が形成されるように金属膜016を
蒸着して成る。
　上記金属膜016はアルミニウムで構成されている。
【００２０】
　
上記構造を有する一対の金属化フィルム010，010を、
それぞれのマージン部014が反対側に配されるように積層又は積層巻回し、
コンデンサ素子018を形成すると共に、該コンデンサ素子018の両端面に
メタリコン電極020を形成することにより第１の金属化フィルムコンデンサ022が構成される
。
【００２１】
　本発明においては、
マージン部014と接する金属膜016の端面16ａに、傾斜金属膜024が形成されている
。
　
傾斜金属膜024は、
金属膜016の端面016ａから外側（マージン部014側）に向かって厚さが徐々に減少する傾斜形状と成されている。
（１３）「【００２６】
  図９〜図１２は、本発明に係る保安機構付きの第２の金属化フィルムコンデンサを構成する第１の金属化フィルム10を示すものであり、図９は平面図、図１０は図９のＸ−Ｘ拡大断面図、図１１は図９のＹ−Ｙ拡大断面図、図１２は図９の中央横断面図である。
  
上記第１の金属化フィルム10は、
誘電体フィルム12の表面に、一側辺に沿ってマージン部14が形成されるように金属膜16を
蒸着して成る。
  上記金属膜16はアルミニウムで構成されている。
【００２７】
  また、上記マージン部14と対向する一側辺の金属膜16は後述するメタリコン電極と接続するメタリコン接続部18と成されている。
  さらに、上記メタリコン接続部18に沿って所定間隔で複数の第１の絶縁スリット20が形成されており、第１の絶縁スリット20，20間に、金属膜16で構成されるヒューズ機能部22が形成されている。
  また、上記各第１の絶縁スリット20とマージン部14とを接続する誘電体フィルム12の幅方向に延びる複数の第２の絶縁スリット24が所定間隔で並設されている。
  上記第１の絶縁スリット20及び第２の絶縁スリット24は、金属膜16が蒸着されていない部分である。
【００２８】
  而して、上記第１の絶縁スリット20及び第２の絶縁スリット24を形成したことにより、
誘電体フィルム12表面の金属膜16に、上記第１の絶縁スリット20及び第２の絶縁スリット24で分離区画された複数の分割電極26が形成される。
  尚、図１に示すように、ヒューズ機能部22を構成する金属膜16は、分割電極26を構成する金属膜16より幅狭と成されている。
【００２９】
  図１３及び図１４に示すように、
複数の上記第１の金属化フィルム10，10をそれぞれのマージン部14が反対側に配されるように積層又は積層巻回してコンデンサ素子27を形成すると共に、該コンデンサ素子27の両端面に
メタリコン電極28を形成することにより
第２の金属化フィルムコンデンサ29が構成される
。
  この際、
各分割電極16は、
メタリコン電極28と接続され、また、誘電体フィルム12を介して対向する一対の分割電極26，26で単位コンデンサが構成されることとなる。
【００３０】
  本発明においては、誘電体フィルム12を介して対向する金属膜16の端面16ａに、傾斜金属膜30が形成されている（図１３〜図１５参照）。
  すなわち、誘電体フィルム12を介して対向する分割電極26の金属膜16で区画される領域が単位コンデンサとして機能する領域Ｃであり、
斯かる単位コンデンサとして機能する領域Ｃを形成する位置の金属膜端面16ａに、上記傾斜金属膜30が形成されるのである
。
  
傾斜金属膜30は、
金属膜16の端面16ａから外側に向かって厚さが徐々に減少する傾斜形状と成されている。
　上記摘示事項（８）、（１２）及び図１ないし６の記載から、引用例２には、次の技術的事項（以下「技術的事項１」という。）が記載されているものと認める。
「一側辺に沿ってマージン部が形成されるように、誘電体フィルムの表面に金属膜を蒸着して成る複数の金属化フィルムを、上記複数の金属化フィルム同士のマージン部が反対側に配されるように積層し、又は積層巻回してコンデンサ素子を形成すると共に、該コンデンサ素子の両端面にメタリコン電極を形成して成る金属化フィルムコンデンサであって、
　上記マージン部と接する金属膜の端面に、外側に向かって厚さが徐々に減少する傾斜金属膜を形成した金属化フィルムコンデンサ。」
　また、上記摘示事項（９）、（１３）及び図９ないし１５の記載から、引用例２には、次の技術的事項（以下「技術的事項２」という。）が記載されているものと認める。
「一側辺に沿ってマージン部が形成されるように、誘電体フィルムの表面に金属膜を蒸着すると共に、絶縁スリットを設けて上記金属膜に複数の分割電極を形成して成る複数の金属化フィルムを、上記複数の金属化フィルム同士のマージン部が反対側に配されるように積層し、又は積層巻回してコンデンサ素子を形成すると共に、該コンデンサ素子の両端面に、上記分割電極と接続されるメタリコン電極を形成し、さらに、誘電体フィルムを介して対向する一対の分割電極で単位コンデンサを構成して成る金属化フィルムコンデンサであって、
  上記単位コンデンサとして機能する領域を形成する位置の金属膜端面に、外側に向かって厚さが徐々に減少する傾斜金属膜を形成した金属化フィルムコンデンサ。」
３．対比
　そこで、本件補正発明と引用発明とを対比する。
（１）金属化フィルムコンデンサ
　引用発明は、金属化フイルムを用いてなるコンデンサであるから、本件補正発明と引用発明とは、「金属化フィルムコンデンサ」である点で一致する。
（２）金属化フィルムコンデンサの基本構成
　引用発明の「金属化フイルム」は、図１の概略断面図に示されるように、「金属蒸着部」と「マージン部」とを有し、引用発明の「コンデンサ」は、「金属化フイルムを巻回または積層し使用してな」るから、本件補正発明と引用発明とは、「一側辺に沿ってマージン部が形成されるように、誘電体フィルムの表面に金属膜を蒸着して成る複数の金属化フィルムを、積層し、又は積層巻回してコンデンサ素子を形成する」点で一致する。
　もっとも、「積層」する態様について、本件補正発明は、「上記複数の金属化フィルム同士のマージン部が反対側に配されるように」するのに対し、引用発明は、そのような明確な特定がない点、及び、本件補正発明は、「該コンデンサ素子の両端面にメタリコン電極を形成」するのに対し、引用発明は、そのような明確な特定がない点で一応相違する。
（３）絶縁スリット、分割電極及び単位コンデンサ
　本件補正発明は、「絶縁スリットを設けて上記金属膜に複数の分割電極を形成し、メタリコン電極が、分割電極と接続され、誘電体フィルムを介して対向する一対の分割電極で単位コンデンサを構成する」のに対し、引用発明は、絶縁スリット、分割電極及び単位コンデンサについて特定がない点で相違する。
（４）傾斜金属膜
　引用発明は、「金属蒸着部からマージン部にかけ金属蒸着膜厚が連続的に低減する金属蒸着層」、すなわち、「金属蒸着膜厚が連続的に低減する金属蒸着層５（境界部または傾斜部）」を有するから、本件補正発明と引用発明とは、「上記マージン部と接する金属膜の端面に、外側に向かって厚さが徐々に減少する傾斜金属膜を形成」する点で一致する。
　もっとも、「傾斜金属膜を形成する金属膜の端面」について、本件補正発明は、「上記単位コンデンサとして機能する領域を含む誘電体フィルムと接する金属膜の全ての端面」であるのに対し、引用発明は、「上記マージン部と接する金属膜の端面」以外の金属膜の端面について特定がない点で相違する。
（５）傾斜金属膜の幅
　引用発明の「金属蒸着膜厚が連続的に低減する金属蒸着層５（境界部または傾斜部）の幅Ｌ」の数値範囲「０．１〜０．１５ｍｍ」は、本件補正発明の「該傾斜金属膜の幅」の数値範囲「０．０２５mm〜０．１８mm」に含まれるから、本件補正発明と引用発明とは、「該傾斜金属膜の幅を０．０２５mm〜０．１８mmの範囲に設定した」点で一致する。
　そうすると、本件補正発明と引用発明とは、次の点で一致する。
＜一致点＞
「一側辺に沿ってマージン部が形成されるように、誘電体フィルムの表面に金属膜を蒸着して成る複数の金属化フィルムを、積層し、又は積層巻回してコンデンサ素子を形成して成る金属化フィルムコンデンサであって、
　上記マージン部と接する金属膜の端面に、外側に向かって厚さが徐々に減少する傾斜金属膜を形成して成り、該傾斜金属膜の幅を０．０２５mm〜０．１８mmの範囲に設定した金属化フィルムコンデンサ。」の点。
　そして、次の点で相違する。
＜相違点＞
（１）「積層」する態様について、本件補正発明は、「上記複数の金属化フィルム同士のマージン部が反対側に配されるように」するのに対し、引用発明は、そのような明確な特定がない点、及び、本件補正発明は、「該コンデンサ素子の両端面にメタリコン電極を形成」するのに対し、引用発明は、そのような明確な特定がない点。
（２）本件補正発明は、「絶縁スリットを設けて上記金属膜に複数の分割電極を形成し、メタリコン電極が、分割電極と接続され、誘電体フィルムを介して対向する一対の分割電極で単位コンデンサを構成する」のに対し、引用発明は、絶縁スリット、分割電極及び単位コンデンサについて特定がない点。
（３）「傾斜金属膜を形成する金属膜の端面」について、本件補正発明は、「上記単位コンデンサとして機能する領域を含む誘電体フィルムと接する金属膜の全ての端面」であるのに対し、引用発明は、「上記マージン部と接する金属膜の端面」以外の金属膜の端面について特定がない点。
４．判断
　そこで、上記相違点について検討する。
相違点（１）について
　誘電体フィルムの表面に、一側辺に沿ってマージン部が形成されるように金属膜を蒸着して金属化フィルムを構成し、斯かる構造を有する一対の金属化フィルムを、それぞれのマージン部が反対側に配されるように積層又は積層巻回してコンデンサ素子を形成すると共に、該コンデンサ素子の両端面に電極材料を溶射してメタリコン電極を形成することにより金属化フィルムコンデンサが構成されることは、技術常識である（例えば、特開平５−３０４０４４号公報参照）から、引用発明の「金属化フイルムを用いてなるコンデンサ」もそのように構成されることは明らかである。
　したがって、相違点（１）は、実質的な相違点ではない。
相違点（２）及び（３）について
　引用発明は、「境界部５を設けることによって、特にマージン部と蒸着金属部の境界における絶縁破壊を防止することができる」（摘示事項（６））ものであるところ、引用例２に記載された技術的事項１及び２もまた、「金属膜の端面に、外側に向かって厚さが徐々に減少する傾斜金属膜を形成したので、異常電圧の印可時に金属膜の端面での電界集中が緩和され、電界集中で生成される放電による誘電体フィルムの部分的絶縁破壊の発生頻度が減少するため、静電容量の低下を抑制することができる」（摘示事項（１１））ものである。そして、引用発明は、技術的事項１の構成を有する。
　したがって、引用発明において、技術的事項１の構成に代えて、技術的事項２の構成を採用すること、すなわち、「絶縁スリットを設けて上記金属膜に複数の分割電極を形成し、メタリコン電極が、分割電極と接続され、誘電体フィルムを介して対向する一対の分割電極で単位コンデンサを構成する」こと、及び、「傾斜金属膜を形成する金属膜の端面」について、「上記単位コンデンサとして機能する領域を形成する位置の金属膜端面」とすることは、当業者が容易に想到し得る。
　さらに、「金属膜の端面に、外側に向かって厚さが徐々に減少する傾斜金属膜を形成したので、異常電圧の印可時に金属膜の端面での電界集中が緩和され、電界集中で生成される放電による誘電体フィルムの部分的絶縁破壊の発生頻度が減少するため、静電容量の低下を抑制することができる」との効果を最大限とすることを期待して、「傾斜金属膜を形成する金属膜の端面」について、「上記単位コンデンサとして機能する領域を含む誘電体フィルムと接する金属膜の全ての端面」とすることも、当業者が容易に想到し得る。
　また、明細書に記載された本願発明が奏する効果についてみても、本願発明の構成のものとして当業者であれば予測し得る程度のものに過ぎず、格別顕著なものがあるとは認められない。
　したがって、本件補正発明は、引用例１に記載された発明及び引用例２に記載された技術的事項に基づいて当業者が容易に発明をすることができたものであり、特許法第２９条第２項の規定により、特許出願の際独立して特許を受けることができないものである。
５．本件補正についてのむすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１．本願発明
　平成２９年３月２３日付けの手続補正は、上記のとおり却下されたので、本願の請求項１ないし５に係る発明は、平成２８年１０月６日付けの手続補正により補正された特許請求の範囲の請求項１ないし５に記載された事項により特定されるものであるところ、請求項１に係る発明（以下「本願発明」という。）は、上記「第２［理由］１．」に本件補正前の請求項１として記載したとおりのものである。
２．引用例
　原査定の拒絶の理由で引用された引用例及びその記載事項は、上記「第２［理由］２．」に記載したとおりである。
３．対比・判断
　本願発明は、上記「第２［理由］３．及び４．」で検討した本件補正発明から、発明特定事項である「傾斜金属膜を形成」する「金属膜」の「端面」について、「上記単位コンデンサとして機能する領域を形成する位置の金属膜端面」だけでなく、「誘電体フィルムと接する金属膜の全ての端面」とし、より多くの位置に「傾斜金属膜を形成」する旨の限定を削除したものである。
　そうすると、本願発明の構成要件を全て含み、さらに他の構成要件を付加したものに相当する本件補正発明が、上記「第２［理由］３．及び４．」に記載したとおり、引用例１に記載された発明及び引用例２に記載された技術的事項に基づいて当業者が容易に発明をすることができたものであるから、本願発明も、同様の理由により、引用例１に記載された発明及び引用例２に記載された技術的事項に基づいて当業者が容易に発明をすることができたものである。
４．むすび
　以上のとおり、本願の請求項１に係る発明は、特許法第２９条第２項の規定により特許を受けることができない。
　したがって、本願は、その余の請求項について論及するまでもなく拒絶すべきものである。
　よって、結論のとおり審決する。